(57)【要約】【課題】  原稿搬送（移動）式の原稿読取り装置において、読取り素子の色調整やピント調整などの調整を行うにあたって、調整時に読取らせる調整原稿の痛みを少なくする。【解決手段】  スキャナ部３３およびＡＤＦ３４で構成される原稿読取り装置において、前記読取り素子である密着式イメージセンサ７２の調整を行うにあたって、前記調整原稿を、通常の原稿のように原稿挿入口から取り込ませ、湾曲搬送路６４を通過させるのではなく、原稿画像の読取り時には原稿搬送経路上に突出し、原稿６２に密着している排出ローラ６９を跳ね上げ、排出口から読取り位置へ挿入できるようにする。したがって、前記調整原稿は、搬送経路上の多くのローラ６３；６５，６６；６７，６８；６９，７０による加圧や、前記湾曲搬送路６４などによる湾曲を受ける可能性が低くなり、該調整原稿を繰返し使用しても、痛みが少なく、低コストに、かつ精度よく調整を行うことができる。【選択図】      図１
2005142885.tif 000002
【特許請求の範囲】
【請求項１】
固定位置に設置された読取り素子上を、搬送手段で原稿を搬送することによって、原稿画像を読取るようにした原稿読取り装置において、
前記搬送手段を構成し、前記読取り素子の搬送方向下流側に配置される搬送ローラを、前記原稿に対して近接および離反変位させる駆動手段と、
原稿画像の読取り時には前記搬送ローラを前記原稿に密着させ、前記読取り素子の調整時には一旦前記搬送ローラを搬送経路から離反させ、前記調整のために用いる調整原稿の排出口から読取り位置への挿入を許容するように、前記駆動手段を制御する駆動制御手段とを含むことを特徴とする原稿読取り装置。
【請求項２】
前記搬送手段は、原稿の搬送方向を略１８０°反転する湾曲搬送路およびその湾曲搬送路に多数設けられ、前記原稿を挟圧搬送する搬送ローラを備えて構成され、前記読取り素子付近における前記搬送経路が略直線であることを特徴とする請求項１記載の原稿読取り装置。
【請求項３】
前記調整原稿において前記搬送方向に対する調整パターンの形成された領域の長さが、前記読取り素子から前記湾曲搬送路までの距離以下に形成されることを特徴とする請求項２記載の原稿読取り装置。
【請求項４】
固定位置に設置された読取り素子上を、搬送手段で原稿を搬送することによって、原稿画像を読取るようにした原稿読取り装置の調整方法において、
前記読取り素子の搬送方向下流側に配置される搬送ローラを搬送経路から離反させ、前記調整のために用いる調整原稿の排出口から読取り位置への挿入を許容することを特徴とする原稿読取り装置の調整方法。
【発明の詳細な説明】
【技術分野】
【０００１】
本発明は、搬送手段で原稿を搬送しつつ、その原稿の搬送経路に臨み、固定位置に設置された密着型イメージセンサなどの読取り素子で原稿画像を順次読取ってゆくようにした原稿搬送（移動）式の原稿読取り装置において、前記読取り素子の読取り色調整やピント調整などの調整を行うための構成に関し、またその調整方法に関する。
【背景技術】
【０００２】
複写機、スキャナおよびファクシミリ等に好適に用いられる原稿読取り装置では、操作性を向上するために、従来から、複数枚の原稿の画像を自動的に順次読取ってゆくために、前記複数枚の原稿を順次取込んで画像読取り部へ導く原稿搬送装置（ADF：Auto document feeder、RADF：Reversible Auto document feeder、RDH：Round document handler）が搭載されている。複写機などの比較的大型の装置では、前記原稿読取り装置は、原稿載置台を備え、その原稿載置台（原稿ガラス）に載置された原稿を、該原稿載置台の裏面に配置され、ＣＣＤイメージセンサなどの撮像素子およびその光学系を走行させることで、ブック物や１枚物のシート原稿を読取るとともに、前記原稿搬送装置を用いて複数枚のシート原稿を連続して読取るようになっている。また、前記原稿載置台の裏面に配置された光学系とは別に、前記原稿搬送装置側に設けたＣＣＤラインイメージセンサなどの密着式イメージセンサ（ＣＩＳ）を同時に用い、該原稿搬送装置で原稿を搬送しつつ読取ることで、表裏両面の原稿画像を読取り、高速な読取りが実現されるようになっている。前記密着式イメージセンサは、たとえば特許文献１に記載されている。
【０００３】
一方、小型のスキャナやファクシミリなどでは、大型の前記原稿載置台は設けられず、前記密着式イメージセンサだけを用いて原稿画像を読取るようになっている。さらにまた、前記原稿載置台を用いず、前記密着式イメージセンサに原稿搬送装置を用いて、原稿を搬送しつつ読取ることで、Ａ０やＡ１サイズの大型原稿を読取るスキャナなども用いられている。
【０００４】
図５は、前記原稿載置台を備える複写機の前記密着式イメージセンサ付近の概略的構成を示す縦断面図である。原稿トレイ１に積層された原稿２は、取込みローラ３によって１枚ずつ取出され、湾曲搬送路４へと供給される。そして前記湾曲搬送路４に設けられた搬送ローラ５，６；７，８によって画像読取り部へと搬送され、該画像読取り部に臨む図示しない前記ＣＣＤイメージセンサのための光学系１１によって原稿画像が読取られた後、排出ローラ９，１０によって排出トレイ１３上へと排出される。前記画像読取り部にはまた、前記密着式イメージセンサ１２が臨み、原稿２の裏面の画像を読取るようになっている。
【０００５】
そして、前記ＣＣＤイメージセンサや光学系１１などの調整は、原稿載置台１４に載置された調整原稿や、シェーディング補正板１５などを読取ることで行われる。これに対して、密着式イメージセンサ１２の調整は、通常の原稿２と同様に、原稿トレイ１に載置された調整原稿を取込みローラ３によって取込み、湾曲搬送路４を介して前記画像読取り部に搬送し、その原稿画像を読取ることで行われる。
【０００６】
図６は、前記密着式イメージセンサ１２の調整に用いられる調整原稿２１の一例を示す正面図である。この調整原稿２１には、挿入方向２２に対して、前後に余白部Ｗ１，Ｗ２が設けられており、中央部に調整パターン部Ｗ３が設けられている。前記余白部Ｗ１，Ｗ２において、調整パターン部Ｗ３の前後には、該調整パターン部Ｗ３の範囲を示すマーカー２３，２４が形成されている。前記調整パターン部Ｗ３では、主走査方向（前記挿入方向２２とは垂直方向）に伸びて、カラーバランス調整用の複数本のストライプ２５（図６では、前記挿入方向２２の下流側から、赤，緑，青，黒の順）が形成されるとともに、前記主走査方向の両端付近および中央付近にはピント調整用のストライプ２６が形成されている。
【特許文献１】特開２０００−６９２３７号公報
【発明の開示】
【発明が解決しようとする課題】
【０００７】
上述のような従来技術では、前記調整原稿２１は、前記湾曲搬送路４を搬送されるので、該湾曲搬送路４の壁面や、多くのローラ３；５，６；７，８；９，１０に擦れたり、曲げ伸ばしや、ローラの加圧によるストレスが加わり、調整パターンが徐々に削れたり、汚れたりしてゆき、数度の使用で、調整パターンとして規定されている範囲から外れてしまう。したがって、前記調整原稿２１のコストが嵩むとともに、使用回数が増える程、調整の精度が低下するという問題がある。
【０００８】
本発明の目的は、調整原稿の痛みが少なく、低コストに、かつ精度よく調整を行うことができる原稿読取り装置およびその調整方法を提供することである。
【課題を解決するための手段】
【０００９】
本発明の原稿読取り装置は、固定位置に設置された読取り素子上を、搬送手段で原稿を搬送することによって、原稿画像を読取るようにした原稿読取り装置において、前記搬送手段を構成し、前記読取り素子の搬送方向下流側に配置される搬送ローラを、前記原稿に対して近接および離反変位させる駆動手段と、原稿画像の読取り時には前記搬送ローラを前記原稿に密着させ、前記読取り素子の調整時には一旦前記搬送ローラを搬送経路から離反させ、前記調整のために用いる調整原稿の排出口から読取り位置への挿入を許容するように、前記駆動手段を制御する駆動制御手段とを含むことを特徴とする。
【００１０】
上記の構成によれば、搬送手段で原稿を搬送しつつ、その原稿の搬送経路に臨み、固定位置に設置された密着型イメージセンサなどの読取り素子で原稿画像を順次読取るようにした原稿搬送（移動）式の原稿読取り装置において、前記読取り素子の読取り色調整やピント調整などの調整を行うにあたって、その調整時に読取らせる調整原稿を、通常の原稿のように原稿挿入口から取り込ませ、湾曲搬送路などの搬送経路を通過させるのではなく、前記原稿画像の読取り時には前記搬送経路上に突出し、前記原稿に密着している排出口側の搬送ローラに関して駆動手段を設け、駆動制御手段がこの駆動手段を制御して前記搬送ローラを搬送経路から退避させ、前記調整原稿を前記排出口から読取り位置へ挿入できるようにする。挿入された前記調整原稿は、前記読取り素子の搬送方向上流側に配置された搬送ローラなどで適宜取り込まれ、前記の調整のためのデータが取り込まれる。
【００１１】
したがって、前記調整原稿は、前記搬送経路に配置される多くの搬送ローラによる加圧や、前記湾曲搬送路などによる湾曲を受ける可能性が低くなり、比較的平面に近く規制の少ない状態で前記読取り位置へ搬送される。これによって、前記調整原稿を繰返し使用しても、痛みが少なく、低コストに、かつ精度よく調整を行うことができる。
【００１２】
また、本発明の原稿読取り装置では、前記搬送手段は、原稿の搬送方向を略１８０°反転する湾曲搬送路およびその湾曲搬送路に多数設けられ、前記原稿を挟圧搬送する搬送ローラを備えて構成され、前記読取り素子付近における前記搬送経路が略直線であることを特徴とする。
【００１３】
上記の構成によれば、前記原稿搬送（移動）式の原稿読取り装置において、装置構成をコンパクトにするために、原稿載置部を原稿読取り台の上方に配置し、それらの間を原稿の搬送方向を略１８０°反転する湾曲搬送路で接続した構成では、前記原稿載置部から原稿読取り部へ送られる原稿は、前記湾曲搬送路による湾曲を受けるとともに、多くの搬送ローラに挟圧搬送され、該原稿に与えるダメージが比較的大きい。
【００１４】
したがって、このように搬送経路に湾曲搬送路を備える構成に、前述のように排出口側から調整原稿を送り込む構成は、該調整原稿のダメージを少なくする点で、特に効果的である。
【００１５】
さらにまた、本発明の原稿読取り装置では、前記調整原稿において前記搬送方向に対する調整パターンの形成された領域の長さが、前記読取り素子から前記湾曲搬送路までの距離以下に形成されることを特徴とする。
【００１６】
上記の構成によれば、通常の原稿と同様に調整原稿にも余白が含まれており、前記読取り色調整やピント調整などを行うための調整パターンの形成された領域の長さを、前記読取り素子から前記湾曲搬送路までの距離以下に形成することで、種々の調整を行うためにその調整原稿を取込み、前記湾曲搬送路側へ搬送して行っても、総ての調整パターンを読込んで調整原稿が最大限該湾曲搬送路へ進入した状態で、進入しているのは調整原稿の前記余白部分だけであり、前記調整パターンへのダメージを確実に抑えることができる。
【００１７】
なお、調整原稿を一旦取り出し、挿入方向だけを反転して再び挿入する場合には、前記調整パターンの形成された領域の長さを、前記読取り素子から前記湾曲搬送路までの距離の２倍以下に形成すれば、同様の効果を得ることができる。
【００１８】
また、本発明の原稿読取り装置の調整方法では、固定位置に設置された読取り素子上を、搬送手段で原稿を搬送することによって、原稿画像を読取るようにした原稿読取り装置の調整方法において、前記読取り素子の搬送方向下流側に配置される搬送ローラを搬送経路から離反させ、前記調整のために用いる調整原稿の排出口から読取り位置への挿入を許容することを特徴とする。
【００１９】
上記の構成によれば、搬送手段で原稿を搬送しつつ、その原稿の搬送経路に臨み、固定位置に設置された密着型イメージセンサなどの読取り素子で原稿画像を順次読取ってゆくようにした原稿搬送（移動）式の原稿読取り装置において、前記読取り素子の読取り色調整やピント調整などの調整を行うにあたって、その調整時に読取らせる調整原稿を、通常の原稿のように原稿挿入口から取り込ませ、湾曲搬送路などの搬送経路を通過させるのではなく、前記原稿画像の読取り時には前記搬送経路上に突出し、前記原稿に密着している排出口側の搬送ローラを前記搬送経路から退避させ、前記排出口から読取り位置へ挿入できるようにする。挿入された前記調整原稿は、前記読取り素子の搬送方向上流側に配置された搬送ローラなどで適宜取り込まれ、前記の調整のためのデータが取り込まれる。
【００２０】
したがって、前記調整原稿は、前記搬送経路に配置される多くの搬送ローラによる加圧や、前記湾曲搬送路などによる湾曲を受ける可能性が低くなり、比較的平面に近く規制の少ない状態で前記読取り位置へ搬送される。これによって、前記調整原稿を繰返し使用しても、痛みが少なく、低コストに、かつ精度よく調整を行うことができる。
【発明の効果】
【００２１】
本発明の原稿読取り装置は、以上のように、搬送手段で原稿を搬送しつつ、その原稿の搬送経路に臨み、固定位置に設置された密着型イメージセンサなどの読取り素子で原稿画像を順次読取るようにした原稿搬送（移動）式の原稿読取り装置において、前記読取り素子の読取り色調整やピント調整などの調整を行うにあたって、その調整時に読取らせる調整原稿を、通常の原稿のように原稿挿入口から取り込ませ、湾曲搬送路などの搬送経路を通過させるのではなく、原稿排出口側の搬送ローラを前記搬送経路から退避させ、前記排出口から読取り位置へ挿入できるようにする。
【００２２】
それゆえ、前記調整原稿は、前記搬送経路に配置される多くの搬送ローラによる加圧や、前記湾曲搬送路などによる湾曲を受ける可能性が低くなり、比較的平面に近く規制の少ない状態で前記読取り位置へ搬送されることになり、前記調整原稿を繰返し使用しても、痛みが少なく、低コストに、かつ精度よく調整を行うことができる。
【００２３】
また、本発明の原稿読取り装置の調整方法は、搬送手段で原稿を搬送しつつ、その原稿の搬送経路に臨み、固定位置に設置された密着型イメージセンサなどの読取り素子で原稿画像を順次読取るようにした原稿搬送（移動）式の原稿読取り装置において、前記読取り素子の読取り色調整やピント調整などの調整を行うにあたって、その調整時に読取らせる調整原稿を、通常の原稿のように原稿挿入口から取り込ませ、湾曲搬送路などの搬送経路を通過させるのではなく、原稿排出口側の搬送ローラを前記搬送経路から退避させ、前記排出口から読取り位置へ挿入できるようにする。
【００２４】
それゆえ、前記調整原稿は、前記搬送経路に配置される多くの搬送ローラによる加圧や、前記湾曲搬送路などによる湾曲を受ける可能性が低くなり、比較的平面に近く規制の少ない状態で前記読取り位置へ搬送されることになり、前記調整原稿を繰返し使用しても、痛みが少なく、低コストに、かつ精度よく調整を行うことができる。
【発明を実施するための最良の形態】
【００２５】
図１は、本発明の実施の一形態にかかる複写機３１の機械的構成を示す縦断面図である。この複写機３１は、大略的に、画像形成を行う本体部３２と、前記本体部３２の上方側に配設されるスキャナ部３３と、そのスキャナ部３３の上方側に配設されるＡＤＦ３４とを備えて構成される。前記スキャナ部３３とＡＤＦ３４とによって、本発明にかかる原稿読取り装置が構成される。
【００２６】
前記本体部３２では、１または複数（図１では３個）の給紙トレイ４１，４２，４３や手差しトレイ４４に装填された記録紙４１ａ，４２ａ，４３ａ，４４ａの何れかが取込みローラ４１ｂ，４２ｂ，４３ｂ，４４ｂで１枚ずつ取出され、レジストローラ４５，４６にてタイミング調整が行われた後、画像形成部４７に搬送される。前記画像形成部４７は、感光体ドラム４７ａの周囲に、図示しない帯電器、レーザ書込みユニット、現像器、転写ユニット４７ｂおよび図示しないクリーニングユニット等が配置され、前記記録紙に電子写真方式で画像形成を行う。こうして記録紙に形成されたトナー像は、定着部４８にて定着され、排出ローラ４９，５０から排紙トレイ５１上に排出される。
【００２７】
一方、前記レーザ書込みユニットに与えられる原稿画像データは、スキャナ部３３および／またはＡＤＦ３４にて読取られる。スキャナ部３３では、原稿載置台５２の下面には、原稿に照明光を照射し、その反射光を受光するランプユニット５３と、前記ランプユニット５３で得られた原稿画像を反射するミラーユニット５４と、前記ミラーユニット５４からの原稿画像を集光する結像レンズ５５と、ＣＣＤイメージセンサなどから成り、前記結像レンズ５５で結像された原稿画像を光電変換する撮像素子５６とを備えて構成される。前記ランプユニット５３が速度Ｖで、前記ミラーユニット５４が速度Ｖ／２で、図１の左右方向に変位することで、前記原稿載置台５２に載置されたブック物や１枚物の原稿画像が、常に等しい光路長で前記撮像素子５６に結像される。こうして読取られた原稿画像データは、図示しない画像処理ユニットにて濃度調整や輪郭強調などの画像処理が行われ、前記レーザ書込みユニットに与えられる。
【００２８】
一方、シート原稿を順次取り込んでゆくＡＤＦ３４では、原稿トレイ６１に積層された原稿６２は、取込みローラ６３によって１枚ずつ取出され、湾曲搬送路６４へと供給される。そして前記湾曲搬送路６４に設けられた搬送ローラ６５，６６；６７，６８によって画像読取り部へと搬送され、該画像読取り部に臨む前記ランプユニット５３を介して原稿画像が読取られた後、排出ローラ６９，７０によって排出トレイ７１上へと排出される。前記画像読取り部にはまた、ＣＣＤラインイメージセンサなどから成る密着式イメージセンサ７２が臨み、原稿６２の裏面の画像を読取るようになっている。
【００２９】
注目すべきは、本発明では、原稿搬送（移動）式での原稿読取りを実現する前記ＡＤＦ３４において、前記密着式イメージセンサ７２の読取り色調整やピント調整などの調整を行うにあたって、その調整時に読取らせる調整原稿を、通常の原稿のように取込みローラ６３が設けられた原稿挿入口から取込ませ、湾曲搬送路６４を通過させるのではなく、排出ローラ６９，７０が設けられる排出口側から読取り位置へ挿入できるようにしたことである。
【００３０】
具体的には、通常、相互に密着している前記排出ローラ６９，７０の少なくとも一方を、他方から離反変位可能とする。図２は、ＡＤＦ３４の密着式イメージセンサ７２付近を概略的に示す縦断面図である。前記排出ローラ６９および搬送ローラ６７は前記ＡＤＦ３４側に設けられ、前記排出ローラ７０および搬送ローラ６８は前記スキャナ部３３側に設けられ、この図２の例では、排出ローラ６９を上方に跳ね上げ可能とする。このため、前記排出ローラ６９は、ＡＤＦ３４の筐体に取付けられ、水平方向に延びる軸８１の軸線回りに揺動変位自在のアーム８２に回動自在に支持されており、図２（ａ）で示すように、該アーム８２に立設されたロックピン８３がスキャナ部３３側に設けられるフック８４に係止されることで前記排出ローラ６９，７０が相互に密着し、通常時の原稿６２の搬送が可能となる。
【００３１】
これに対して、図２（ｂ）で示すように、前記フック８４が外れると、図示しないばねなどの弾発性の部材によって、前記アーム８２は図２（ｃ）で示すように揺動変位し、排出ローラ６９が跳ね上がり、排出ローラ７０から離反する。これによって、前記排出口からの調整原稿の挿入が可能になる。前記フック８４は、ソレノイドなどの駆動手段８５によって駆動され、その駆動手段８５はマイクロコンピュータなどの該複写機６１の全体の動作を制御する駆動制御手段８６によって駆動制御される。
【００３２】
前記撮像素子５６や光学系５３〜５５などの調整は、原稿載置台５２に載置された調整原稿や、シェーディング補正板５７などを読取ることで行われる。
【００３３】
図３は、本発明による密着式イメージセンサ７２の調整方法を説明するための図であり、図４は、その調整方法のフローチャートである。本発明でも、前記図６で示す調整原稿２１が用いられる。図示しない操作パネルの入力操作などから、調整動作を開始すると、前記調整原稿２１を挿入しないままで、ステップＳ１において、前記駆動制御手段８６は、図示しない該密着式イメージセンサ７２の光源をオフし、黒基準の調整を行う。同様に、前記調整原稿２１を挿入しないままで、ステップＳ２において、前記駆動制御手段８６は、光源をオンし、白基準の調整を行う。
【００３４】
ステップＳ３では、前記駆動制御手段８６は、前記駆動手段８５に前記フック８４を開放させ、排出ローラ６９，７０を相互に離反させるとともに、図示しない操作パネルに前記調整原稿２１の挿入を促すガイダンス表示を行うなどして、調整原稿２１が排出口から挿入されるようにする。前記挿入方向２２に挿入され、図３（ａ）で示すように、調整原稿２１の先端が密着している搬送ローラ６７，６８に噛み込むと、前記マーカー２３部分が密着式イメージセンサ７２で読取られ、前記駆動制御手段８６が前記搬送ローラ６７，６８を逆転させるとともに、ステップＳ４で密着式イメージセンサ７２によって前記ストライプ２５が読取られ、赤，緑，青のカラーバランス調整が行われる。続いて搬送されると、密着式イメージセンサ７２にはストライプ２６が臨み、ステップＳ５でピント調整が行われる。こうして調整が終了すると、図３（ｂ）で示す状態となり、マーカー２４が密着式イメージセンサ７２で検知される。その後、ステップＳ６で前記駆動制御手段８６が前記搬送ローラ６７，６８を正転させ、調整原稿２１が図３（ａ）で示す状態まで排出され、操作者によって取出される。
【００３５】
前記カラーバランス調整は、たとえばＲ，Ｇ，Ｂ入力データが、予め設定されている目標値Ｒ’，Ｇ’，Ｂ’に最も近付くように、下記の数１のマトリクスの係数ａ１１，ａ１２，ａ１３；ａ２１，ａ２２，ａ２３；ａ３１，ａ３２，ａ３３を求めることで実現される。そして実際の原稿画像の読取り時には、その求められた係数を用いて、読取りデータの補正が行われる。
【００３６】
【数１】
2005142885.tif 000003
【００３７】
前記ピント調整は、たとえば長手状の密着式イメージセンサ７２の両端部に設けられ、原稿搬送路への突出高さをそれぞれ調整することができるアクチュエータの一方または両方を伸縮させることで実現することができる。密着式イメージセンサ７２で読取ったストライプ２５，２６の様子は、操作パネルに表示するようにしてもよい。
【００３８】
以上のように、本発明にかかる複写機３１では、スキャナ部３３およびＡＤＦ３４で構成される原稿搬送（移動）式の原稿読取り装置において、読取り素子である密着式イメージセンサ７２の読取り色調整やピント調整などの調整を行うにあたって、その調整時に読取らせる調整原稿２１を、通常の原稿のように原稿挿入口から取り込ませ、湾曲搬送路６４を通過させるのではなく、原稿画像の読取り時には原稿搬送経路上に突出し、前記原稿に密着している排出ローラ６９，７０に関してロックピン８３およびフック８４を設け、前記駆動制御手段８６が駆動手段８５を駆動して、排出ローラ６９を搬送経路から退避させ、前記調整原稿２１を前記排出口から読取り位置へ挿入できるようにするので、前記調整原稿２１は、搬送経路に配置される多くのローラ６３；６５，６６；６７，６８；６９，７０による加圧や、前記湾曲搬送路６４などによる湾曲を受ける可能性が低くなり、比較的平面に近く規制の少ない状態で前記読取り位置へ搬送される。これによって、前記調整原稿２１を繰返し使用しても、痛みが少なく、低コストに、かつ精度よく調整を行うことができる。
【００３９】
また、本発明の原稿読取り装置では、前記原稿搬送（移動）式の原稿読取り装置において、装置構成をコンパクトにするために、原稿トレイ６１を原稿載置台５２の上方に配置し、それらの間を原稿６２の搬送方向を略１８０°反転する湾曲搬送路６４で接続した構成であるので、前記原稿トレイ６１から原稿読取り部へ送られる原稿６２は、前記湾曲搬送路６４による湾曲を受けるとともに、多くのローラ６３；６５，６６；６７，６８；６９，７０に挟圧搬送され、該原稿６１に与えるダメージが比較的大きい。したがって、このように搬送経路に湾曲搬送路６４を備える構成に、前述のように排出口側から調整原稿２１を送り込み、調整原稿２１を略直線の密着式イメージセンサ７２付近だけを通過させる構成は、該調整原稿２１のダメージを少なくする点で、特に効果的である。
【００４０】
さらにまた、本発明の原稿読取り装置では、前記調整原稿２１において、その搬送方向に対する調整パターン部Ｗ３の長さＸ３を、前記密着式イメージセンサ７２から前記湾曲搬送路６４までの距離Ｘ０以下に形成する（図３（ａ）では、調整原稿２１の先端が搬送ローラ６７，６８に噛み込んだ時点でマーカー２３部分が密着式イメージセンサ７２で検知されるように、余白部Ｗ１の長さＸ１も前記距離Ｘ０と略等しく形成している）。したがって、種々の調整を行うためにその調整原稿２１を取込み、前記湾曲搬送路６４側へ搬送して行っても、調整パターンである総てのストライプ２５，２６を読込んで調整原稿２１が最大限該湾曲搬送路へ進入した状態で、進入しているのは該調整原稿２１の前記余白部Ｗ１だけであり、前記調整パターンへのダメージを確実に抑えることができる。
【００４１】
なお、調整原稿２１を一旦取出し、挿入方向だけを反転して再び挿入する場合には、前記調整パターン部Ｗ３の長さＸ３を、前記密着式イメージセンサ７２から前記湾曲搬送路６４までの距離Ｘ１の２倍以下に形成すれば、同様の効果を得ることができる。
【００４２】
また、本発明の実施の他の形態として、調整原稿の表裏両面に調整パターンを形成し、ランプユニット５３を両面読取り位置（図１で示す密着式イメージセンサ７２に略対向する位置）に固定した状態で、上記の調整動作を行うことで、ＣＣＤイメージセンサなどから成る撮像素子５６およびミラーユニット５４や結像レンズ５５などの光学系の調整も同時に行うことができる。
【図面の簡単な説明】
【００４３】
【図１】本発明の実施の一形態にかかる複写機の機械的構成を示す縦断面図である。
【図２】本発明によるＡＤＦの密着式イメージセンサ付近を概略的に示す縦断面図である。
【図３】本発明による密着式イメージセンサの調整方法を説明するための図である。
【図４】本発明による密着式イメージセンサの調整方法のフローチャートである。
【図５】原稿載置台を備える複写機の密着式イメージセンサ付近の概略的構成を示す縦断面図である。
【図６】密着式イメージセンサの調整に用いられる調整原稿の一例を示す正面図である。
【符号の説明】
【００４４】
２１    調整原稿
２２    挿入方向
２３，２４    マーカー
２５，２６    ストライプ（調整パターン）
３１    複写機
３２    本体部
３３    スキャナ部
３４    ＡＤＦ
４１，４２，４３    給紙トレイ
４４    手差しトレイ
４１ａ，４２ａ，４３ａ，４４ａ    記録紙
４５，４６    レジストローラ
４７    画像形成部
４７ａ  感光体ドラム
４７ｂ  定着ユニット
４８    定着部
４９，５０    排出ローラ
５１    排紙トレイ
５２    原稿載置台
５３    ランプユニット
５４    ミラーユニット
５５    結像レンズ
５６    撮像素子
６１    原稿トレイ
６２    原稿
６３    取込みローラ
６４    湾曲搬送路
６５，６６；６７，６８    搬送ローラ
６９，７０    排出ローラ
７１    排出トレイ
７２    密着式イメージセンサ
８１    軸
８２    アーム
８３    ロックピン
８４    フック
８５    駆動手段
８６    駆動制御手段
Ｗ１，Ｗ２    余白部
Ｗ３    調整パターン部
【図１】
2005142885.tif 000004
【図２】
2005142885.tif 000005
【図３】
2005142885.tif 000006
【図４】
2005142885.tif 000007
【図５】
2005142885.tif 000008
【図６】
2005142885.tif 000009